(57)【要約】【課題】この発明に係るギアプーラは、取り外しをするギアが、スポーク部を有したギアであっても、押込螺杆を軸に対して垂直に当てることができるため、押込螺杆の軸に対して作用する力は直接伝達され、また、押込螺杆が軸の先端面に対して滑らず、さらに、挾持爪がギアからはずれにくくなるギアプーラを得る。【解決手段】この発明に係るギアプーラは、保持腕基体１と、この保持腕基体１に貫通して設けられ、回動することでこの保持腕基体１に対して垂直方向に進退可能な押込螺杆２と、前記保持腕基体１の周縁に形成された周縁部３に周方向に摺動可能に設けられ、中心軸に軸１２が圧入された綱車１１を挾持する挾持腕体６とを備えている。【選択図】図１
2007021633.tif 000002
【特許請求の範囲】
【請求項１】
保持腕基体と、
この保持腕基体に貫通して設けられ、回動することでこの保持腕基体に対して垂直方向に進退可能な押込螺杆と、
前記保持腕基体の周縁に形成された周縁部に周方向に摺動可能に設けられ、中心軸に軸が圧入されたギアを挾持する挾持腕体と、
を備えたことを特徴とするギアプーラ。
【請求項２】
前記挾持腕体は、一端部が前記周縁部と嵌着する挾持腕体本体と、この挾持腕体本体の他端部と一端部が回動自在に設けられている連結杆と、この連結杆の他端部と一端部が回動自在に設けられている挾持爪とからなることを特徴とする請求項１に記載のギアプーラ。
【請求項３】
前記周縁部は、軸方向に突出しており、この周縁部には、前記挾持腕体を径方向に出し入れ可能にする出し入れ部が形成されていることを特徴とする請求項１または２に記載のギアプーラ。
【請求項４】
前記周縁部には、周方向に延びて溝が形成され、この溝にＯリングが設けられていることを特徴とする請求項１ないし３の何れか１項に記載のギアプーラ。
【発明の詳細な説明】
【技術分野】
【０００１】
この発明は、ギアの取り外しに用いられるギアプーラに関する。
【背景技術】
【０００２】
従来のギアプーラとして、保持腕基体の中央部に、押込螺杆を回動自在に螺着し、この保持腕基体の各端部に当接状態にして複数個の挾持腕体を保持腕基体に連結杆を介して垂設し、この挾持腕体の下端部にギアを挾持する挾持爪を連設したギアプーラが知られている。
このものの場合、ギアの中心軸に圧入された軸の先端面に、押込螺杆の先端面を押し当て、押込螺杆を回動させることで、ギアを取り出している。（例えば、特許文献１参照）
【０００３】
【特許文献１】実開平５−８５５６７号公報（図１）
【発明の開示】
【発明が解決しようとする課題】
【０００４】
しかしながら、上記構成のギアプーラでは、スポーク部を有するギアのとき、スポーク部の配置によっては、押込螺杆の先端部をギアに圧入された軸の先端面に対して傾けて当てなければならず、この場合には、次のような問題点があった。
（１）押込螺杆の軸に対して作用する力は分散され、軸をギアから抜くためには、より大きな力が必要となり、また、押込螺杆が軸の先端面に対してすべりが発生し易くなり、ギアの取り出し作業性が悪い。
（２）挾持爪がギアから外れ易くなる。
【０００５】
この発明は、上述のような問題点を解決することを課題とするもので、その目的は、取り外しをするギアが、スポーク部を有したギアであっても、押込螺杆の先端部を軸の先端面に対して垂直に当てることができるため、押込螺杆の軸に対して作用する力は直接伝達され、また、押込螺杆が軸の先端面に対して滑らず、さらに、挾持爪がギアから外れにくくなるギアプーラを提供することである。
【課題を解決するための手段】
【０００６】
この発明に係るギアプーラは、保持腕基体と、この保持腕基体に貫通して設けられ、回動することでこの保持腕基体に対して垂直方向に進退可能な押込螺杆と、保持腕基体の周縁に形成された周縁部に周方向に摺動可能に設けられ、中心軸に軸が圧入されたギアを挾持する挾持腕体とを備えたものである。
【発明の効果】
【０００７】
この発明に係るギアプーラによれば、取り外しをするギアが、スポーク部を有したギアであっても、押込螺杆の先端部を軸の先端面に対して垂直に当てることができるため、押込螺杆の軸に対して作用する力は直接伝達され、また、押込螺杆が軸の先端面に対して滑らず、さらに、挾持爪がギアから外れにくくなるという効果がある。
【発明を実施するための最良の形態】
【０００８】
実施の形態１．
以下、この発明の実施の形態１に係るギアプーラについて図面に基づいて説明する。
図１は、この発明の実施の形態１に係るギアプーラの全体斜視図である。
図２は、図１におけるＩＩ−ＩＩ線に沿った矢視断面図である。
このギアプーラは、円盤状の保持腕基体１を有している。この保持腕基体１の中央部には、その面に対して垂直方向に穴が形成されている。その穴には、押込螺杆２が螺着されている。保持腕基体１の周縁部３には、摺動可能な３個の挾持腕体６が、等間隔に嵌着している。
【０００９】
保持腕基体１において、周縁部３には、挾持腕体６を嵌着させるために、上方に突出したガイド部４およびこのガイド部４と反対側で切りかかれた段部５を有している。
周縁部３には、挾持腕体６を出し入れするための、溝状に切りかかれた出し入れ部９が形成されている。
周縁部３の外側面には、周方向に延びた溝７が形成されている。この溝７には、挾持腕体６の動きを抑制するＯリング８が設けられている。
【００１０】
押込螺杆２の上部には、治具を用いて回動する六角形状をした頭部１０が形成されており、押込螺杆２を回動することで、保持腕基体１の面に対して垂直方向へ、進退自在に動かすことが可能である。押込螺杆２の下部には、ギアである綱車１１の中心に圧入された軸１２と接触するための先端部１３が設けられている。
【００１１】
挾持腕体６は、一端部が周縁部３と嵌着する挾持腕体本体１４と、この挾持腕体本体１４の他端部と一端部が第一の軸１７を通じて回動自在に設けられている連結杆１５と、この連結杆１５の他端部と一端部が第二の軸１８を通じて回動自在に設けられている挾持爪１６からなる。
挾持腕体本体１４には、保持腕基体１のガイド部４および段部５と嵌着する略Ｃ型形状が形成されている。
挾持爪１６の先端は、綱車１１を係止するために突出した爪部１９が形成されている。
【００１２】
以下、上記構成のギアプーラを用いてギアから軸を取り出す手順について説明する。
まず、押込螺杆２の先端部１３を、綱車１１の軸１２に合わせ、さらに、綱車１１の面に対して、押込螺杆２を垂直線上に配置する。
次に、図３に示すように、保持腕基体１の出し入れ部９から、複数の挾持腕体６をそれぞれ挿入し、保持腕基体１に嵌着した挾持腕体６を、保持腕基体１の周縁部３の所定の位置まで摺動する。
次に、挾持爪１６を、保持腕基体１の半径方向に回動させて、綱車１１の形状に合わせ、爪部１９を用いて、綱車１１の外径下端部を挾持するとともに、押込螺杆２の先端部１３を綱車１１の軸１２に垂直に当てる。
その後、押込螺杆２の頭部１０に対して、治具を用いて回動させ、押込螺杆２を綱車１１の軸１２に対して押込む。
その結果、綱車１１から軸１２が押し出される。
【００１３】
以上、説明したように、この実施の形態１のギアプーラによれば、スポーク部を有した綱車１１であっても、周方向に摺動可能な挟持腕体６を適所に移動しセッティングすることで、押込螺杆２を軸１２に対して垂直に当てることが可能となり、押込螺杆２の軸１２に対して作用する力は直接伝達され、大きな力を要しなくても綱車１１から軸１２を押し出すことができる。
また、押込螺杆２が軸１２の先端面に対して滑らず、さらに、挾持爪１６が綱車１１からはずれにくくなり、綱車１１の取外し作業性が向上する。
【００１４】
また、このギアプーラは、挾持爪１６が回動自在に設けられているため、大きさの異なる綱車１１にも使用することができる。
【００１５】
また、保持腕基体１の周縁部３に、出し入れ部９が設けられているため、挾持腕体６は保持腕基体１に容易に出し入れすることができる。
【００１６】
また、周縁部３にはＯリングが設けられているので、保持腕基体１に対する挾持腕体６の周方向の動きが抑制され、綱車１１を安定して挾持することができるため、作業性が向上する。
【００１７】
なお、上記実施の形態１では、ギアとして綱車１１を例にして説明したが、勿論このものに限定されるものではなく、他のものであってもよい。
また、図１において挾持腕体６の数を３個として説明したが、勿論この数に限定するものではない。
さらに、上記実施の形態１では、挾持腕体６の取付け位置を等間隔として説明したが、勿論不等間隔であってもよい。
さらにまた、溝７は周縁部３の外側面に形成されているが、勿論、外側面に限定されるものではなく、周縁部３の上面または下面に形成されていてもよい。
【図面の簡単な説明】
【００１８】
【図１】この発明の実施の形態１に係るギアプーラの全体斜視図である。
【図２】図１におけるＩＩ−ＩＩ線に沿った矢視断面図である。
【図３】保持腕基体に挾持腕体を装着する様子を示す説明図である。
【符号の説明】
【００１９】
１  保持腕基体、２  押込螺杆、３  周縁部、４  ガイド部、５  段部、６  挾持腕体、７  溝、８  Ｏリング、９  出し入れ部、１０  頭部、１１  綱車、１２  軸、１３  先端部、１４  挾持腕体本体、１５  連結杆、１６  挾持爪、１７  第一の軸、１８  第二の軸、１９  爪部。
【図１】
2007021633.tif 000003
【図２】
2007021633.tif 000004
【図３】
2007021633.tif 000005